(57)【要約】      （修正有）【課題】紙葉類に対する保持範囲が広く、紙葉類の着脱操作もワンタッチの極めて簡略な操作で行うことが可能な磁石付紙葉類保持具を提供する。【解決手段】磁石６が磁着可能な平面を有する例えばホワイトボードのボード面等に対して紙葉類を磁着保持させる磁石付紙葉類保持具１であって、平面略長方形状で両端を円弧状とし、側面くの字形状とするとともに、下面中心部の長さ方向に沿った境界部３を境としてその両側に長さ方向と直交する方向への回動変位によって前記平面にいずれか一方が接合する二つの略長方形状でかつ対称形状の接合面２ｃ、２ｄを備えた保持具本体２と、保持具本体２における二つの接合面２ｃ、２ｄに臨む位置に各々所定間隔をもって内蔵した３個ずつの磁石６とを有する。【選択図】図４
0003117118.tif 000002
【実用新案登録請求の範囲】
【請求項１】
磁石が磁着可能な平面を有する保持体に対して紙葉類を磁着保持させる磁石付紙葉類保持具であって、
平面略長方形状で、側面をくの字形状で、下面の長さ方向に沿った境界部を境としてその両側に長さ方向と直交する方向への回動変位によって、前記平面にいずれか一方が接合する二つの略長方形状の接合面を備えた保持具本体と、
前記保持具本体における二つの接合面に臨む位置に各々所定間隔をもって内蔵した複数個ずつの磁石と、
を有することを特徴とする磁石付紙葉類保持具。
【請求項２】
磁石が磁着可能な平面を有するホワイトボード等のような保持体に対して紙葉類を磁着保持させる磁石付紙葉類保持具であって、
平面略長方形状で両端を円弧状又は凹状とし、側面をくの字形状とするとともに、下面中心部の長さ方向に沿った境界部を境としてその両側に長さ方向と直交する方向への回動変位によって、前記平面にいずれか一方が接合する二つの略長方形状でかつ対称形状の接合面を備えた保持具本体と、
前記保持具本体における二つの接合面に臨む位置に各々所定間隔をもって内蔵した複数個ずつの磁石と、
を有することを特徴とする磁石付紙葉類保持具。
【請求項３】
磁石が磁着可能な平面を有するホワイトボード等のような保持体に対して紙葉類を磁着保持させる磁石付紙葉類保持具であって、
平面略長方形状で両端を円弧状又は凹状とし、側面をくの字形状とするとともに、下面中心部の長さ方向に沿った境界部を境としてその両側に長さ方向と直交する方向への回動変位によって、前記平面にいずれか一方が接合する二つの略長方形状でかつ対称形状の接合面を備え、前記二つの接合面に対応する二つの上面側を各々曲面状とし、二つの上面側に各々回動方向を示す矢印を付した保持具本体と、
前記保持具本体における二つの接合面に臨む位置に各々所定間隔をもって内蔵した３個ずつの磁石と、
を有することを特徴とする磁石付紙葉類保持具。
【考案の詳細な説明】
【技術分野】
【０００１】
本考案は、被保持物である紙葉類に対する保持範囲が広く、紙葉類の着脱操作もワンタッチの極めて簡略な操作で行うことが可能な磁石付紙葉類保持具に関するものである。
【背景技術】
【０００２】
従来、ホワイトボード等の表面上に、書類、図面等の紙葉類等を掲示するために、例えば複数個の円盤状の磁石を紙葉類等の上にあてがいその磁力を利用して磁石とボード面との間に紙葉類等を挟むようにして磁着することで、前記紙葉類等をボード面上に固定保持することが行われている。
【０００３】
このような円盤状の磁石を利用して紙葉類等をボード面上に固定保持する場合においては、紙葉類等の大きさに比べて磁石の大きさが小さいため、紙葉類等の保持態様が部分的となることから２個、３個等複数個の磁石を使用しなければならず、ワンタッチで紙葉類等をボード面上に固定保持することは難しい。
【０００４】
特許文献１には、例えば蝶、花等の形状に形成した本体の下面中心部を画する稜線を境として対象形状の両翼をシーソーのように変位可能とするとともに、両翼の下面にマグネットを埋設し、本体をスチール面上でシーソーのように変位させることでペーパーを保持したり、離脱させたりするように構成したペーパーホルダーが提案されている。
【０００５】
しかし、この特許文献１のペーパーホルダーの場合、前記本体の形状が蝶、花等の形状であることから、スチール面上でのペーパーに対する保持範囲が狭いことから、上述した場合と同様にペーパーを部分的にしか保持できない。
【特許文献１】特開２０００−２２５７８９号公報
【考案の開示】
【考案が解決しようとする課題】
【０００６】
解決しようとする問題点は、紙葉類に対する保持範囲が広くて確実に紙葉類を保持でき、かつ、紙葉類の着脱操作もワンタッチの極めて簡略な操作で行うことが可能な磁石付紙葉類保持具が存在しない点である。
【課題を解決するための手段】
【０００７】
本考案は、磁石が磁着可能な平面を有する保持体に対して紙葉類を磁着保持させる磁石付紙葉類保持具であって、平面略長方形状で、側面くの字形状で、下面の長さ方向に沿った境界部を境としてその両側に長さ方向と直交する方向への回動変位によって、前記平面にいずれか一方が接合する二つの略長方形状の接合面を備えた保持具本体と、前記保持具本体における二つの接合面に臨む位置に各々所定間隔をもって内蔵した複数個ずつの磁石と、を有することを最も主要な特徴とする。
【考案の効果】
【０００８】
本考案の請求項１記載の考案によれば、紙葉類に対する保持範囲が広く、確実に紙葉類を保持して掲示状態とすることができ、紙葉類の非保持状態、紙葉類の保持状態を各々ワンタッチの指操作にて極めて簡略に維持することが可能な磁石付紙葉類保持具を提供することができる。
【０００９】
請求項２記載の考案によれば、請求項１記載の考案の効果に加えて、保持具本体の両方の端を円弧状としているので、例えばホワイトボードのような保持体に対する紙葉類の非保持状態、紙葉類の保持状態の体裁も良好な磁石付紙葉類保持具を提供することができる。
【００１０】
請求項３記載の考案によれば、請求項１、２記載の考案の効果に加えて、保持具本体の指を接触させる上面を曲面状としているので、滑らかな操作感をもって例えばホワイトボードのような保持体面上での保持具本体の回動操作を行うことができ、更に、保持具本体の二つの上面側に各々回動方向を示す矢印を付しているので紙葉類の非保持状態、保持状態の転換も容易な磁石付紙葉類保持具を提供することができる。
【考案を実施するための最良の形態】
【００１１】
本考案は、紙葉類に対する保持範囲が広くて確実に紙葉類を保持でき、かつ紙葉類の着脱操作もワンタッチの極めて簡略な操作で行うことが可能な磁石付紙葉類保持具を提供するという目的を、磁石が磁着可能な平面を有する例えばホワイトボードのような保持体に対して紙葉類を磁着保持させる磁石付紙葉類保持具であって、平面略長方形状で両端を円弧状とし、側面くの字形状とするとともに、下面中心部の長さ方向に沿った境界部を境としてその両側に長さ方向と直交する方向への回動変位によって、前記平面にいずれか一方が接合する二つの略長方形状でかつ対称形状の接合面を備えた保持具本体と、前記保持具本体における二つの接合面に臨む位置に各々所定間隔をもって内蔵した複数個ずつの磁石と、を有する構成により実現した。
【実施例】
【００１２】
以下に、本考案の実施例に係る磁石付紙葉類保持具１について図面を参照して詳細に説明する。
【００１３】
本実施例に係る磁石付紙葉類保持具１は、図１乃至図４に示すように、平面略長方形状を呈するように形成した保持具本体２と、この保持具本体２に内蔵した複数個、本実施例では合計６個の磁石６と、を有している。
【００１４】
前記保持具本体２は、図１、図２に示すように、全体として略直方体状で、平面形状が略長方形状を呈し、その両方の端２ａ、２ｂを円弧状とし、更に側面形状を図３に示すようにくの字形状を呈するように形成している。なお、保持具本体２の両端２ａ、２ｂを円弧状とする場合の他、図６に示すように、保持具本体２の両端２ａ、２ｂを湾曲状にした凹状に形成しても良い。
【００１５】
前記保持具本体２の全長Ｌは、例えば２１０ｍｍ、全幅Ｄは例えば２４ｍｍとする例を挙げることができるが、これら全長Ｌ、全幅Ｄの寸法は種々に設定できることはいうまでもない。
【００１６】
また、前記保持具本体２における下面中心部の長さ方向に沿った鈍角を呈する境界部３を境として、その両側に長さ方向と直交する方向（図５に示すａ方向又はｂ方向）への回動変位によって、例えば保持体である図５に示すホワイトボードのボード面１０にいずれか一方が接合する二つの略長方形状でかつ対称形状の接合面２ｃ、２ｄを備えている。
【００１７】
前記保持具本体２における二つの各接合面２ｃ、２ｄに対応する二つの上面２ｅ、２ｆ側は、図３、図４に示すように、各々ａ方向又はｂ方向への曲面状としている。前記二つの上面２ｅ、２ｆにおける長さ方向中央部には、図１に示すように、ａ方向又はｂ方向への回動方向を示す矢印４ａ、４ｂを付している。
【００１８】
前記保持具本体２における二つの接合面２ｃ、２ｄには、所定の間隔をもって３個ずつの孔５が対称形状に穿設され、各孔５に各々合計６個の磁石６を埋設している。前記磁石６は、例えばネオジューム材からなる円盤状の磁石としている。
【００１９】
なお、前記孔５の穿設位置、個数、従って前記磁石６の個数は、前記保持具本体２の長さ寸法等の大小に応じて種々に設定できることはいうまでもない。
【００２０】
次に、上述した本実施例に係る磁石付紙葉類保持具１の使用例について、図５をも参照して説明する。
【００２１】
この磁石付紙葉類保持具１を使用して、磁石が磁着可能な平面を有する保持体である例えばホワイトボード等のボード面１０に例えば書類等の紙葉類１１を掲示する場合には、まず、図５上欄に示すように保持具本体２をボード面１０上に水平方向に配置し、その境界部３を境として前記接合面２ｃに対応する上面２ｅを指１２により前記矢印４ａが示すａ方向に押して、前記接合面２ｃ側を３個の磁石６の磁力を利用してボード面１０に磁着させる。
【００２２】
これにより、保持具本体２の境界部３から接合面２ｄ側は、ボード面１０との間に空間を形成する状態となる。
【００２３】
この状態で、ボード面１０との間の空間領域に紙葉類１１（例えばＡ４サイズ）の上端部分を入れ、図５下欄に示すように、指１２により上面２ｆを前記矢印４ｂが示すｂ方向に押す。
【００２４】
この結果、保持具本体２は境界部３を境としてｂ方向に回動し、接合面２ｄ側が３個の磁石６の磁力によって紙葉類１１の上端部分を押さえ込むようにしてボード面１０に磁着し、この紙葉類１１の上端部分をボード面１０上に体裁よく固定保持する。
【００２５】
このようにして、指１２のワンタッチ操作にて保持具本体２の上面２ｅをａ方向に押し、接合面２ｄとボード面１０との間の空間領域に紙葉類１１の上端部分を入れた後、指１２のワンタッチ操作にて保持具本体２の上面２ｆをｂ方向に押すという極めて簡略な操作にて、前記紙葉類１１をボード面１０上の任意の箇所に体裁よく固定保持し、掲示状態とすることができる。
【００２６】
前記ボード面１０上に固定保持した前記紙葉類１１を取り外す場合には、図５下欄に示す状態において、既述した場合と同様前記上面２ｅを指１２によりワンタッチで前記矢印４ａが示すａ方向に押すだけでよい。これにより保持具本体２の境界部３から接合面２ｄ側がボード面１０から離れる状態となり、紙葉類１１を容易に取り外すことができる。
【００２７】
以上説明したように、本実施例に係る磁石付紙葉類保持具１によれば、保持具本体２を全長Ｌの平面略長方形状とするとともに、その両方の端２ａ、２ｂを円弧状（又は凹状）としているので、紙葉類１１に対する保持範囲が広く、確実に紙葉類１１をボード面１０上に体裁よく保持して掲示状態とすることができる。
【００２８】
また、紙葉類１１のボード面１０に対する着脱操作もワンタッチの指操作にて極めて簡略に行うことができ、この場合に、保持具本体２の接合面２ｃ、２ｄに各々３個ずつの磁石を埋設しているので、図５上欄に示す紙葉類１１の非保持状態、図５下欄に示す紙葉類１１の保持状態を各々確実に維持することが可能である。
【００２９】
更に、紙葉類１１の着脱操作の際に、指１２を接触させる上面２ｅ、２ｆを曲面状としているので、滑らかな操作感をもって保持具本体２の回動操作を行うことができるとともに、上面２ｅ、２ｆに各々回動方向を示す矢印４ａ、４ｂを付しているので、紙葉類１１の非保持状態、保持状態の転換も容易となる。
【００３０】
本実施例に係る磁石付紙葉類保持具１は、上述した使用態様の他に、上下反転状態、すなわち、接合面２ｄ側を上、接合面２ｃ側を下とした状態でも、既述した場合と全く同様な作用、効果を発揮させることができる。
【００３１】
また、保持具本体２の全長Ｌ、幅Ｄ、更には磁石６の埋設個数は、上述した場合に限定されるものではなく、紙葉類１１の種々のサイズ（Ｂ５サイズ、Ｂ４サイズ、Ａ３サイズ等）に応じた全長Ｌ、幅Ｄ、磁石６の埋設個数の選定が可能であることは言うまでもない。
【００３２】
更に、前記保持具本体２を、緑色、ピンク色等種々の色彩に着色した構成として、外観体裁を向上させることもできる。
【産業上の利用可能性】
【００３３】
本考案は、上述したホワイトボードのボード面上に紙葉類を掲示，保持する場合の他、スチール家具類の表面や家庭における冷蔵庫の蓋表面、側壁面等に紙葉類やメモ用紙等を掲示する場合に関しても幅広く適用可能である。
【図面の簡単な説明】
【００３４】
【図１】本考案の実施例に係る磁石付紙葉類保持具の平面図である。
【図２】本考案の実施例に係る磁石付紙葉類保持具の底面図である。
【図３】本考案の実施例に係る磁石付紙葉類保持具の拡大側面図である。
【図４】図２のＡ−Ａ線拡大断面図である。
【図５】本考案の実施例に係る磁石付紙葉類保持具の使用態様を示す説明図である。
【図６】本考案の他の実施例に係る磁石付紙葉類保持具の平面図である。
【符号の説明】
【００３５】
１    磁石付紙葉類保持具
２    保持具本体
２ａ  端
２ｂ  端
２ｃ  接合面
２ｄ  接合面
２ｅ  上面
２ｆ  上面
３    境界部
４ａ  矢印
４ｂ  矢印
５    孔
６    磁石
１０    ボード面
１１    紙葉類
１２    指
Ｄ    幅
Ｌ    全長
【図１】
0003117118.tif 000003
【図２】
0003117118.tif 000004
【図３】
0003117118.tif 000005
【図４】
0003117118.tif 000006
【図５】
0003117118.tif 000007
【図６】
0003117118.tif 000008